(57)【要約】      （修正有）【課題】麺がゆで上がった後に胡椒や唐辛子等の香辛料を入れて食べることができる。【解決手段】内側に突起を形成した外蓋と穴の開いた中蓋を備えた香辛料容器を砂時計の両端にそれぞれ一個ずつ設けたので麺がゆで上がった後にすぐに香辛料を入れて食べることが可能となる。【選択図】図１
2007101514.tif 000002
【特許請求の範囲】
【請求項１】
外蓋と中蓋を備えた香辛料容器を砂時計の両端にそれぞれ一個ずつ香辛料容器の底面が砂時計と接するように設け、中蓋には香辛料を排出するための穴を設け、外蓋の内側には外蓋を閉じた状態では中蓋の穴をふさぐ突起を形成した、香辛料容器と砂時計が一体となった香辛料容器付き砂時計。
【請求項２】
一個の香辛料容器を香辛料容器の底面が砂時計の一方の端と接するように設けた、香辛料容器と砂時計が一体となった香辛料容器付き砂時計。
【請求項３】
一個の香辛料容器の外蓋の上に砂時計を設けた、香辛料容器と砂時計が一体となった香辛料容器付き砂時計。
【発明の詳細な説明】
【技術分野】
【０００１】  本発明は、香辛料容器を設けた砂時計に関する。
【背景技術】
【０００２】  従来の砂時計には、香辛料容器と一体となったものはない。【０００３】  以下、図６により従来の砂時計について説明する。図において、１は砂時計であり、７は砂である。
【発明の開示】
【発明が解決しようとする課題】
【０００４】  以上に述べた従来の砂時計では、砂時計としての機能を有するだけであるため、カップ麺にお湯を入れて調理する際に砂時計として麺のゆで上がり時間を計ることはできたが、ゆで上がった後にカップ麺に胡椒や唐辛子等の香辛料を入れて食べるためには、砂時計とは別に香辛料の入った容器を準備する必要があった。【０００５】  本発明は、このような従来の構成が有していた問題を解決しようとするものであり、砂時計と香辛料容器とが一体となっていることから、カップ麺にお湯を入れて調理する際には砂時計として麺のゆで上がり時間を計ることができ、なおかつ、ゆで上がった後にはすぐに胡椒や唐辛子等の香辛料をカップ麺に入れて食べることができる香辛料容器付き砂時計を実現することを目的とするものである。
【課題を解決するための手段】
【０００６】  そして、本発明は上記目標を達成するために、外蓋と中蓋を備えた香辛料容器を砂時計の両端にそれぞれ一個ずつ香辛料容器の底面が砂時計と接するように設け、中蓋には香辛料を排出するための穴を設け、外蓋の内側には外蓋を閉じた状態では中蓋の穴をふさぐ突起を形成し、香辛料容器と砂時計を一体として構成したものである。【０００７】  また、第２の解決手段は、一個の香辛料容器を香辛料容器の底面が砂時計の一方の端と接するように設け、香辛料容器と砂時計を一体として構成したものである。【０００８】  また、第３の解決手段は、一個の香辛料容器の外蓋の上に砂時計を設け、香辛料容器と砂時計を一体として構成したものである。【０００９】  上記第１の課題解決手段による作用は次のとおりである。すなわち、砂時計と香辛料容器とが一体となっている構造のため、カップ麺にお湯を入れて調理する際に麺のゆで上がり時間を計るためには従来の砂時計と同様に用い、麺がゆで上がった後にカップ麺に香辛料を入れる際には、香辛料容器の外蓋をはずしてカップ麺の中に香辛料容器を向けて振ることで香辛料容器の中蓋の穴から香辛料が排出されて、ゆで上がり後にすぐにカップ麺に香辛料を入れて食べることが可能となる。【００１０】  砂時計と香辛料容器が一体となっていることから、カップ麺を調理して食べる際にゆで上がり時間を計るための砂時計と香辛料容器を別々に準備しなくてもよいので便利であり、また、砂時計と香辛料容器を別々に保管するのに比べ保管場所が少なくて済む。【００１１】  香辛料容器が砂時計の両端にそれぞれ一個ずつ設けられているため、例えば一方の香辛料容器には胡椒を入れ、もう一方の香辛料容器には唐辛子を入れるなどして、それぞれの香辛料容器に異なる種類の香辛料を入れることもできるので便利である。【００１２】  香辛料容器の中の香辛料が減った場合は、外蓋と中蓋をはずして香辛料を補充することができる。【００１３】  砂時計として用いる際に香辛料容器の上下を逆にして置いても、外蓋を閉じた状態では外蓋の内側に中蓋の穴をふさぐための突起が形成されているため、下向きになった香辛料容器から中の香辛料が外蓋の内側にこぼれ落ちるのを防ぐことができる。【００１４】  第２の課題解決手段による作用は、一個の香辛料容器を香辛料容器の底面が砂時計の一方の端と接するように設け、香辛料容器と砂時計を一体として構成したものであることから、香辛料容器を砂時計の両端にそれぞれ一個ずつ設けたものに比べて香辛料容器の数が少ない分だけ原材料費及び製造コストが少なくて済む。【００１５】  第３の課題解決手段による作用は、一個の香辛料容器の外蓋の上に砂時計を設け、香辛料容器と砂時計を一体として構成したものであることから、香辛料容器を砂時計の両端にそれぞれ一個ずつ設けたものに比べて香辛料容器の数が少ない分だけ原材料費及び製造コストが少なくて済む。
【発明の効果】
【００１６】  上述したように本発明の香辛料容器付き砂時計は、砂時計としての機能と香辛料容器としての機能を一体として果たすことができるため、カップ麺にお湯を入れて調理する際には砂時計として麺のゆで上がり時間を計ることができ、なおかつ、麺がゆで上がった後にはすぐに香辛料を入れて食べることが可能となり、調理し、おいしく食べるという一連の行為においてそれぞれ必要な機能を果たすという効果を発揮する。砂時計と香辛料容器を別々に準備しなくても済むので便利であり、砂時計と香辛料容器が別々のものに比べて保管場所が少なくて済む。また、それぞれの香辛料容器に異なる種類の香辛料を入れることもできるので便利である。香辛料容器の中の香辛料が減ったときは、香辛料を補充することができる。砂時計として用いる際に香辛料容器の上下を逆にして置いても、香辛料が外蓋の内側にこぼれ落ちるのを防ぐことができる。【００１７】  また、第２の課題解決手段による作用は、一個の香辛料容器を香辛料容器の底面が砂時計の一方の端と接するように設け、香辛料容器と砂時計を一体として構成したものであることから、香辛料容器を砂時計の両端にそれぞれ一個ずつ設けたものに比べて香辛料容器の数が少ない分だけ原材料費及び製造コストが少なくて済むという効果を発揮する。【００１８】  また、第３の課題解決手段による作用は、一個の香辛料容器の外蓋の上に砂時計を設け、香辛料容器と砂時計を一体として構成したものであることから、香辛料容器を砂時計の両端にそれぞれ一個ずつ設けたものに比べて香辛料容器の数が少ない分だけ原材料費及び製造コストが少なくて済むという効果を発揮する。
【発明を実施するための最良の形態】
【００１９】  以下、本発明の実施の形態を図１〜図５に基づいて説明する。【００２０】  図１〜図５においては、１は砂時計であり、２は香辛料容器であり、香辛料容器２には外蓋３と中蓋５が備えられており、外蓋３の内側には突起４が形成されており、中蓋５には穴６が設けられている。砂時計１の中には砂７が入っている。【００２１】  図１においては、砂時計１の両端にそれぞれ一個ずつ香辛料容器２が備えられている。【００２２】  以下、上記構成の動作を説明する。砂時計として用いるときは、従来の砂時計と同様に砂時計１の下部に砂７が全て落下している状態のものを上下を逆転させて置くと、砂時計１の上部から砂７が落下して時間を計ることができる。【００２３】  また、香辛料を振りかけるときは、香辛料容器２の外蓋３をはずして振りかけようとするものに傾けて振ると、中蓋５に設けられている穴６から香辛料を排出させてふりかけることができる。【００２４】  香辛料が減ったときは、香辛料容器２の外蓋３と中蓋５を香辛料容器２から取り外して香辛料を補充することができる。【００２５】  砂時計として用いる際に香辛料容器２の上下を逆にして置いても、外蓋３を閉じた状態では外蓋３の内側に形成された突起４が中蓋の穴６をふさぐため、下向きになった香辛料容器２から香辛料が外蓋３の内側にこぼれ落ちるのを防ぐことができる。【００２６】  図２においては、砂時計の一方の端に香辛料容器が一個設けられている。【００２７】  図３においては、一個の香辛料容器の外蓋の上に砂時計が設けられている。
【図面の簡単な説明】
【００２８】
【図１】本発明の実施形態を示す香辛料容器付き砂時計の部分断面図
【図２】同発明の請求項２にかかる実施形態を示す部分断面図
【図３】同請求項３にかかる実施形態を示す部分断面図
【図４】同香辛料容器の外蓋の断面図
【図５】同香辛料容器の外蓋をはずした状態の外観図
【図６】従来の砂時計の立面図
【符号の説明】
【００２９】  １    砂時計
２    香辛料容器
３    外蓋
４    外蓋の突起
５    中蓋
６    中蓋の穴
７    砂
【図１】
2007101514.tif 000003
【図２】
2007101514.tif 000004
【図３】
2007101514.tif 000005
【図４】
2007101514.tif 000006
【図５】
2007101514.tif 000007
【図６】
2007101514.tif 000008